(57)【要約】【課題】本発明は、複雑な制御構成を有することなく精度のよい湯張り運転が可能な一缶二水路風呂給湯器の提供を目的とする。【解決手段】本発明は、給湯熱交換器と追焚熱交換器が一体化され、給湯運転と湯張り運転が可能であり、フィードフォワード熱量とフィードバック熱量とを加算した操作熱量による給湯運転の単独運転時に、検出される熱量と操作熱量との比率を学習する熱量比学習手段と、湯張りモードの単独運転時に給湯運転の単独運転時に学習された熱量比によって補正されたフィードフォワード熱量を基に、湯張り単独運転を制御するフィードフォワード湯張り制御手段を有し、フィードフォワード熱量（Ｐｆｆ）＝（Ｔｓ−Ｔｗ）×Ｑ（Ｔｓは給湯運転時設定温度、Ｔｗは水温、Ｑは通水量）であり、フィードバック熱量（Ｐｆｂ）は設定温度（Ｔｓ）と出湯温度（Ｔｋ）の偏差を相殺補正する熱量である給湯器。【選択図】図２
2013148270.tif 000002
【特許請求の範囲】
【請求項１】
給水される水を加熱する給湯熱交換器と、加熱された湯が通過する給湯通路と、循環ポンプにて循環された浴槽湯水を加熱する追焚熱交換器と、浴槽湯水を循環する循環通路を有し、前記給湯熱交換器と追焚熱交換器が一体化され、この一体化された給湯熱交換器と追焚熱交換器を加熱する共通のバーナを備え、前記給湯通路と循環通路は注湯弁を介して湯張り通路によって接続され、給湯運転と湯張り運転の運転制御が可能な一缶二水路風呂給湯器において、
フィードフォワード熱量とフィードバック熱量とを加算した操作熱量（Ｐ）による給湯運転の単独運転時に、検出される熱量と操作熱量との比率を学習する熱量比学習手段と、湯張りモードの単独運転時には前記給湯運転の単独運転時に学習された熱量比によって補正されたフィードフォワード熱量を基に、湯張り単独運転を制御するフィードフォワード湯張り制御手段を有し、
前記フィードフォワード熱量（Ｐｆｆ）は、以下の（１）式に従い求められる熱量であり、
Ｐｆｆ＝（Ｔｓ−Ｔｗ）×Ｑ  ・・・（１）式
（ただし、（１）式において、Ｔｓは給湯運転時の設定温度を示し、Ｔｗは水温を示し、Ｑは通水量を示す。）
前記フィードバック熱量（Ｐｆｂ）は、前記設定温度（Ｔｓ）と出湯温度（Ｔｋ）との偏差を相殺補正する熱量である一缶二水路風呂給湯器。
【請求項２】
給水される水を加熱する給湯熱交換器と、加熱された湯が通過する給湯通路と、循環ポンプにて循環された浴槽湯水を加熱する追焚熱交換器と、浴槽湯水を循環する循環通路を有し、前記給湯熱交換器と追焚熱交換器が一体化され、この一体化された給湯熱交換器と追焚熱交換器を加熱する共通のバーナを備え、前記給湯通路と循環通路は注湯弁を介して湯張り通路によって接続され、給湯運転と湯張り運転の運転制御が可能な一缶二水路風呂給湯器において、
フィードフォワード熱量とフィードバック熱量とを加算した操作熱量（Ｐ）による給湯運転の単独運転時に、検出される熱量と操作熱量との比率を学習する熱量比学習手段と、湯張りモードの単独運転時には前記給湯運転の単独運転時に学習された熱量比によって補正されたフィードフォワード熱量を基に、湯張り単独運転を制御するフィードフォワード湯張り制御手段を有し、
前記フィードフォワード熱量（Ｐｆｆ）は、以下の（１）式に従い求められる熱量であり、
Ｐｆｆ＝（Ｔｓ−Ｔｗ）×Ｑ  ・・・（１）式
（ただし、（１）式において、Ｔｓは給湯運転時の設定温度を示し、Ｔｗは水温を示し、Ｑは通水量を示す。）
前記フィードバック熱量（Ｐｆｂ）は、前記設定温度（Ｔｓ）と出湯温度（Ｔｋ）との偏差を相殺補正する熱量であり、
前記熱量比による補正値は給湯単独運転が実施される毎に更新、記憶する構成を有する一缶二水路風呂給湯器。
【請求項３】
前記設定温度と前記出湯温度が等しくなった時間から、所定時間、前記設定温度と前記出湯温度が等しい状態が継続した場合、以下の（２）式に従い、出力検知熱量（Ｏ）を演算する出力検知熱量演算部を有し、前記操作熱量と出力検知熱量との比率を以下の（３）式に従い演算し、この比率の値を前記補正値（Ｋｂ）として記憶する熱量比率演算部を有する請求項１または請求項２に記載の一缶二水路風呂給湯器。
Ｏ＝（Ｔｋ−Ｔｗ）×Ｑ    ・・・（２）式
Ｋｂ＝Ｏ／Ｐ  ・・・（３）式
【請求項４】
前記フィードフォワード湯張り制御手段が、前記湯張りモードの単独運転時に、前記フィードフォワード熱量（Ｐｆｆ）と前記補正値（Ｋｂ）を用いて以下の（４）式に従い補正後のフィードフォアード熱量（Ｐｆｆｃ）を算出するフィードフォワード熱量補正部である請求項３に記載の一缶二水路風呂給湯器。
補正後のフィードフォアード熱量（Ｐｆｆｃ）＝Ｐｆｆ／Ｋｂ  ・・・（４）式
【発明の詳細な説明】
【技術分野】
【０００１】
本発明は、浴槽への湯張り機能と、給湯機能、追焚機能を備えた一缶二水路風呂給湯器に関する。
【背景技術】
【０００２】
従来、同じフィンプレートにおいて２種類の管路を貫通配置させた一缶二水路式の熱交換器構造を有する燃焼機器が知られている。この種の燃焼機器の例として図５にシステム図を示す。図５に示す燃焼機器１Ａにおいて、等間隔で配置された複数の同じフィンプレートにおいて給湯側の管路を貫通配置したものを給湯熱交換器２とし、前記フィンプレートに給湯側の管路を貫通配置したものを追焚熱交換器３としている。つまり、給湯熱交換器２と追焚熱交換器３は同じフィンプレートによって一体化されている。
【０００３】
前記一体化された熱交換器の下方には、給湯熱交換器２と追焚熱交換器３を兼用加熱するバーナ４が配置され、燃焼用空気はファン５によりバーナ４へ供給される。バーナ４へはガス通路から燃焼用ガスが供給され、前記燃焼用ガス通路にはガスの開閉を行うガス電磁弁６と開弁状態によってガスの量を調節するガス比例弁７が備えられている。
【０００４】
給水配管接続部８から前記給湯熱交換器２へ繋がる給水配管９には、給水される湯水の流量を検出する水量センサ１０と温度を検出する給水温度センサ１１が設けられており、給湯熱交換器２から給湯配管接続部１２までの給湯配管１３には、給湯熱交換器２にて加熱された湯水の温度を検出する給湯温度センサ１４が設けられている。
【０００５】
風呂戻り配管接続部１５から前記追焚熱交換器３へ繋がる風呂戻り配管１６には、浴槽３３の湯水を循環するための循環ポンプ１７と浴槽３３から燃焼機器へ流入する湯水の温度を検出する風呂温度センサ１８Ａが設けられている。追焚熱交換器３にて加熱された湯水は風呂往き配管１９を通り、風呂往き配管接続部２０を経由して浴槽３３へ流入する。
【０００６】
前記給湯配管１３と前記風呂往き配管１９は、湯張り配管２１により接続されており、前記湯張り配管２１には通路の開閉を行う電磁弁や風呂往き配管から給湯配管１３への湯水の逆流を防止する逆止弁などを有する注湯弁２２が設けられている。給湯配管１３と湯張り配管２１の接続部は、給湯配管１３の給湯温度センサ１４と給湯配管接続部１２との間に設けられている。
【０００７】
燃焼機器１Ａにはコントローラ２３Ａとリモコン２４が設けられ、リモコン２４によって使用者からの給湯運転、追焚運転、湯張り運転などの指示を受けて動作する。
【０００８】
前記燃焼機器１Ａの給湯運転時では、浴室のシャワーやカランの開閉を行う水栓３４が開状態となり、給水、給湯配管に一定量以上通水がある場合、水量センサ１０の検出によりコントローラ２３が燃焼動作を指示する。具体的には、コントローラ２３からの指示により、ファン５が回転し、バーナ４に燃焼用空気が供給され、ガス電磁弁６とガス比例弁７を開状態とすることで、バーナ４にガスが供給される。点火装置２５によりバーナ４に点火することによってバーナ４に火炎が形成される。バーナ４に形成された火炎により給湯熱交換器２を通過する水が加熱され、給湯配管１３へ流入する。流入した湯の温度を給湯温度センサ１４にて検出し、リモコン２４に表示される設定温度の湯となるようガス量をガス比例弁７により調節する。水栓３４が閉状態となり、水量センサ１０の検出流量が所定量以下となった場合、給湯運転を終了する。
【０００９】
前記燃焼機器１Ａの湯張り運転時では、浴室のシャワーやカランの開閉を行う水栓３４が閉状態で給水,給湯配管に一定量以上通水がなく、リモコン２４により湯張り運転の指示を使用者から受けた場合、注湯弁２２を開状態として給湯配管１３から風呂往き配管１９及び風呂戻り配管１６を経由して浴槽３３にリモコン２４により使用者から指示された量(以降  設定湯量)と設定温度の湯を供給する。注湯弁２２が開状態となり、給湯運転と同様に水量センサ１０により一定量以上の通水を検出すると燃焼動作が行われる。給湯運転と同様の燃焼動作によりバーナ４に設けられた火炎により給湯熱交換器２を加熱された湯が給湯配管１３から湯張り配管２１を通り、風呂往き配管１９に流入する。風呂往き配管１９に流入した湯は、一方は風呂往き配管接続部２０を経由して浴槽３３へ流入し、他方は追焚熱交換器３、風呂戻り配管１６、風呂戻り配管接続部１５を経由して浴槽３３へ流入する。すなわち、給湯熱交換器２にて加熱された湯の一部が追焚熱交換器３を通過し、再加熱される。このため、浴槽３３に供給される湯の温度(以降湯張り温度とする)は、給湯熱交換器２にて加熱され、給湯温度センサ１４にて検出された湯温よりも高くなってしまう問題が生じる。このような温度差の発生を解消する手段として、湯張り運転中の給湯温度センサを通過する湯の目標温度を設定温度より低下させることが知られている。(特許文献１)
【先行技術文献】
【特許文献】
【００１０】
【特許文献１】特開２００２―１３０８０８号公報
【発明の概要】
【発明が解決しようとする課題】
【００１１】
その後、水量センサ１０により設定湯量の湯張りが終了したことを検出した時点で注湯弁２２を閉止すると同時に燃焼を停止する。その後、循環ポンプ１７を駆動し、浴槽３３内の湯を循環することで浴槽３３内に張られた湯の温度を風呂温度センサ１８Ａにて検出可能とする。使用者により指示された設定温度より低い場合は、その後、追焚運転を実施し、設定温度まで浴槽３３内の湯を加熱する。最終的に設定温度の湯が浴槽３３内に張られたことを確認後、音声やブザーにより使用者に湯張り運転終了を報知する。
【００１２】
しかしながら、従来の湯張り運転における目標温度を設定温度より低下させる方法では、全体流量の中で追焚熱交換器３において再加熱される流量の比率や再加熱量等目標温度の決定に必要なデータを予め実験等により求めてコントローラに記憶する必要があった。これらのデータは、使用条件や環境条件による変化を考慮すると膨大なデータ量となり、制御プログラムを複雑化する要因となっていた。また、熱交換器やセンサの個体差による影響や、燃焼機器と浴槽を繋ぐ風呂配管長さの違いによって再加熱される流量の比率が変化することなどにより、設定温度の湯を正確に浴槽に供給することが困難な場合があった。
【００１３】
本発明は、上記課題を解決するためになされたものであり、その目的は、複雑な制御構成を有することなく精度のよい湯張り運転が可能な一缶二水路風呂給湯器を提供することである。
【課題を解決するための手段】
【００１４】
本発明は、上記課題を解決する手段として、以下の構成を有する。
（１）給水される水を加熱する給湯熱交換器と、加熱された湯が通過する給湯通路と、循環ポンプにて循環された浴槽湯水を加熱する追焚熱交換器と、浴槽湯水を循環する循環通路を有し、前記給湯熱交換器と追焚熱交換器が一体化され、この一体化された給湯熱交換器と追焚熱交換器を加熱する共通のバーナを備え、前記給湯通路と循環通路は注湯弁を介して湯張り通路によって接続され、給湯運転と湯張り運転の運転制御が可能な一缶二水路風呂給湯器において、フィードフォワード熱量とフィードバック熱量とを加算した操作熱量（Ｐ）による給湯運転の単独運転時に、検出される熱量と操作熱量との比率を学習する熱量比学習手段と、湯張りモードの単独運転時には前記給湯運転の単独運転時に学習された熱量比によって補正されたフィードフォワード熱量を基に、湯張り単独運転を制御するフィードフォワード湯張り制御手段を有し、
前記フィードフォワード熱量（Ｐｆｆ）は、以下の（１）式に従い求められる熱量であり、  Ｐｆｆ＝（Ｔｓ−Ｔｗ）×Ｑ  ・・・（１）式（ただし、（１）式において、Ｔｓは給湯運転時の設定温度を示し、Ｔｗは水温を示し、Ｑは通水量を示す。）前記フィードバック熱量（Ｐｆｂ）は、前記設定温度（Ｔｓ）と出湯温度（Ｔｋ）との偏差を相殺補正する熱量である一缶二水路風呂給湯器。
【００１５】
（２）給水される水を加熱する給湯熱交換器と、加熱された湯が通過する給湯通路と、循環ポンプにて循環された浴槽湯水を加熱する追焚熱交換器と、浴槽湯水を循環する循環通路を有し、前記給湯熱交換器と追焚熱交換器が一体化され、この一体化された給湯熱交換器と追焚熱交換器を加熱する共通のバーナを備え、前記給湯通路と循環通路は注湯弁を介して湯張り通路によって接続され、給湯運転と湯張り運転の運転制御が可能な一缶二水路風呂給湯器において、フィードフォワード熱量とフィードバック熱量とを加算した操作熱量（Ｐ）による給湯運転の単独運転時に、検出される熱量と操作熱量との比率を学習する熱量比学習手段と、湯張りモードの単独運転時には前記給湯運転の単独運転時に学習された熱量比によって補正されたフィードフォワード熱量を基に、湯張り単独運転を制御するフィードフォワード湯張り制御手段を有し、前記フィードフォワード熱量（Ｐｆｆ）は、以下の（１）式に従い求められる熱量であり、  Ｐｆｆ＝（Ｔｓ−Ｔｗ）×Ｑ  ・・・（１）式（ただし、（１）式において、Ｔｓは給湯運転時の設定温度を示し、Ｔｗは水温を示し、Ｑは通水量を示す。）前記フィードバック熱量（Ｐｆｂ）は、前記設定温度（Ｔｓ）と出湯温度（Ｔｋ）との偏差を相殺補正する熱量であり、前記熱量比による補正値は給湯単独運転が実施される毎に更新、記憶する構成を有する一缶二水路風呂給湯器。
【００１６】
（３）前記設定温度と前記出湯温度が等しくなった時間から、所定時間、前記設定温度と前記出湯温度が等しい状態が継続した場合、以下の（２）式に従い、出力検知熱量（Ｏ）を演算する出力検知熱量演算部を有し、前記操作熱量と出力検知熱量との比率を以下の（３）式に従い演算し、この比率の値を前記補正値（Ｋｂ）として記憶する熱量比率演算部を有する請求項１または請求項２に記載の一缶二水路風呂給湯器。
Ｏ＝（Ｔｋ−Ｔｗ）×Ｑ    ・・・（２）式
Ｋｂ＝Ｏ／Ｐ  ・・・（３）式
【００１７】
前記フィードフォワード湯張り制御手段が、前記湯張りモードの単独運転時に、前記フィードフォワード熱量（Ｐｆｆ）と前記補正値（Ｋｂ）を用いて以下の（４）式に従い補正後のフィードフォワード熱量（Ｐｆｆｃ）を算出するフィードフォワード熱量補正部である請求項３に記載の一缶二水路風呂給湯器。
補正後のフィードフォワード熱量（Ｐｆｆｃ）＝Ｐｆｆ／Ｋｂ  ・・・（４）式
【発明の効果】
【００１８】
本発明によれば、給湯運転の単独運転時に所定の燃焼熱量によって給湯熱交換器にて加熱され、シャワーや台所に供給される湯に与えられる出力検知熱量と、湯張り運転時の前記所定の燃焼熱量によって給湯熱交換器と追焚熱交換器によって加熱され、浴槽に供給される湯に与えられる出力検知熱量とが近しいことに着目し、給湯運転時のフィードフォワード熱量とフィードバック熱量とを加算した操作熱量と出力検知熱量との比率から補正値を記憶し、湯張り運転時におけるフィードフォワード熱量を前記補正値により補正することによって、熱交換器やセンサの個体差による影響や、燃焼機器と浴槽を繋ぐ風呂配管長さの違いなどによる再加熱される流量比率の変化を補正し、湯張り温度の精度を高めることが可能となる。
さらに、前記補正値を給湯運転の単独運転毎に更新、記憶することにより、機器の経年劣化による熱効率の変化や機器の設置場所変更などによる燃焼ガスの発熱量変化に対しても補正が可能となり、精度の高い湯張り温度を継続することが出来る。
【図面の簡単な説明】
【００１９】
【図１】本発明の一実施例である燃焼機器の基本構成を表わす模式図である。
【図２】本発明の一実施例である燃焼機器の給湯熱量設定に係わるブロック図である。
【図３】本発明の一実施例である燃焼機器の湯張り熱量設定に係わるブロック図である。
【図４】本発明の一実施例である燃焼機器の給湯運転における出湯温度チャートである。
【図５】従来の燃焼機器の基本構成を示す模式図である。
【発明を実施するための形態】
【００２０】
本発明の対象となる燃焼機器は、給湯熱交換器と追焚熱交換器が一体化され、この一体化された給湯熱交換器と追焚熱交換器を加熱する共通のバーナを備え、前記給湯通路と循環通路は注湯弁を介して湯張り通路によって接続され、給湯運転と湯張り運転の運転制御が可能な燃焼機器であれば、特に制限は無い。
図１は本発明の対象となる燃焼機器の一実施形態を示すもので、この実施形態の燃焼機器１の基本構造は図５に示す従来の燃焼機器１Ａの構造と同等であり、同等部分には同一の符号を付し、同一部分の説明は略する。
本実施形態の燃焼機器１は、コントローラ２３に操作熱量演算部２５と出力検知熱量演算部３０と熱量比較演算部３１が設けられている点が異なる。また、操作熱量演算部２５には、フィードフォワード熱量演算部２６とフィードバック熱量演算部２７が設けられている。
給水温度センサ１１の情報はフィードフォワード熱量演算部２６と出力検知熱量演算部３０に伝達されるように、水量センサ１０の情報はフィードフォワード熱量演算部２６とフィードバック熱量演算部２７と出力検知熱量演算部３０に伝達されるように、給水温度センサ１４の情報はフィードバック熱量演算部２７と出力検知熱量演算部３０に伝達されるようになっている。また、操作熱量演算部２５はファン駆動部２８とガス比例弁駆動部２９を制御することができ、それぞれファン５とガス比例弁７を制御できるようになっている。また、操作熱量演算部２５からの情報を熱量比率演算部３１に伝達できるようになっている。以下にこれら各演算部の動作に基づき、燃焼機器１の出湯温度制御について説明する。
【００２１】
図２、図４に基づいて、本発明に使用する燃焼機器１の給湯運転時の出湯温度制御について説明する。給湯運転時の操作熱量Ｐはフィードフォワード熱量Ｐffとフィードバック熱量Ｐfbを加算した熱量としている。
リモコン２４により、給湯運転時の設定温度Ｔｓが使用者より指示された状態で、水栓３４が開栓され、一定量以上の通水があった場合、水量センサ１０により通水量Ｑを検出し、水温Ｔｗを給水温度センサ１１にて検出すると、フィードフォワード熱量演算部２６が設定温度の湯を得るためのフィードフォワード熱量Ｐffを演算する。Ｐffの算出式を（１）式に示す。
Ｐff＝（Ｔｓ−Ｔｗ）×Ｑ  ・・・（１）式
【００２２】
フィードフォワード熱量演算部２６により得られたフィードフォワード熱量Ｐffを基にファン駆動部２８によってファン５を所定量駆動させ、ガス比例弁駆動部２９によりガス比例弁７を所定量駆動させ、燃焼動作を開始する。所定量は具体的には駆動電流値により制御するが、熱量と駆動電流値との関係式をフィードフォワード熱量演算部２６に有しており、この関係式からフィードフォワード熱量Ｐffを得るための駆動電流値が決定される。
【００２３】
図４に示すように運転開始から時間:ｔ１の区間では操作熱量ＰはＰffのみとする。時間:ｔ１に制限は無いが、本発明では燃焼動作が開始され、給湯熱交換器２にて加熱された湯が給湯温度センサ１４を通過する概略時間をｔ１とし、水量センサ１０により検出された通水量Ｑを基に決定する。
時間:ｔ１から運転終了までは操作熱量Ｐ＝Ｐffにより得られた出湯温度Ｔｋを給湯温度センサ１４にて検出し、設定温度Ｔｓと出湯温度Ｔｋとの偏差を相殺補正するフィードバック熱量Ｐfbをフィードバック熱量演算部２７にて演算し、ファン５とガス比例弁７の駆動電流を変化させる。すなわち、操作熱量Ｐはフィードフォワード熱量Ｐffとフィードバック熱量Ｐfbを加算した熱量となり、操作熱量演算部２５において演算する。その後、設定温度Ｔｓ≒出湯温度Ｔｋとなった時間:ｔ２から所定時間経過したｔ３まで設定温度Ｔｓ≒出湯温度Ｔｋの状態が継続した場合、出力検知熱量Ｏを出力検知熱量演算部３０により演算する。ｔ２からｔ３までの時間に制限はないが、本発明では一例として約５秒間としている。出力検知熱量Ｏの演算式は以下の（２）式となる。
Ｏ ＝（Ｔk−Ｔｗ）×Ｑ  ・・・（２）式
【００２４】
これにより得られた操作熱量Ｐ及び出力検知熱量Ｏとの比率を熱量比率演算部３１にて算出し、補正値Ｋｂとして記憶する。補正値Ｋｂの算出式を以下の（３）式に示す。
Ｋｂ ＝ Ｏ ／ Ｐ  ・・・（３）式
補正値Ｋｂの算出は、給湯運転の単独運転が行われる毎に行われ、更新記憶される。
【００２５】
次に、図３に基づいて本発明に使用する燃焼機器１の湯張り運転時の出湯温度制御について説明する。リモコン２４により、湯張り運転時の設定温度Ｔｓが使用者より指示された状態で、湯張り運転指示を受けた場合、注湯弁２２を開状態とし、浴槽３３への通水を開始する。
一定量以上の通水があった場合、水量センサ１０により通水量Ｑを検出し、水温Ｔｗを給水温度センサ１１にて検出すると、フィードフォワード熱量演算部２６が設定温度の湯張り温度を得るためのフィードフォワード熱量Ｐffを演算する。
湯張り運転では先の（３）式の説明にて述べた給湯運転時に更新記憶する補正値Ｋｂを用いてフィードフォワード熱量補正部３２において補正後のフィードフォワード熱量Ｐffcを算出する。Ｐffcの算出式を以下の（４）式に示す。
フィードフォワード熱量(補正後)Ｐffc ＝ Ｐff ／ Ｋｂ  ・・・（４）式
【００２６】
得られたフィードフォワード熱量Ｐffcを基にファン駆動部２８によってファン５をガス比例弁駆動部２９によりガス比例弁７を所定量駆動させる。
以降の動作は、先に発明が解決しようとする課題の説明で説明した場合と同様に、設定湯量の湯張りが完了後にポンプ循環による湯張り温度の確認および追焚運転へと移行する。
即ち、水量センサ１０により設定湯量の湯張りが終了したことを検出した時点で注湯弁２２を閉止すると同時に燃焼を停止する。その後、循環ポンプ１７を駆動し、浴槽３３内の湯を循環することで浴槽３３内に張られた湯の温度を風呂温度センサ１８Ａにて検出可能とする。使用者により指示された設定温度より低い場合は、その後、追焚運転を実施し、設定温度まで浴槽３３内の湯を加熱する。最終的に設定温度の湯が浴槽３３内に張られたことを確認後、音声やブザーにより使用者に湯張り運転終了を報知する。
本発明の構成を採用することにより、湯張り温度の精度が向上した結果、追焚運転の時間が短縮され、使用者の使い勝手が向上する。
【符号の説明】
【００２７】
１…燃焼機器、２…給湯熱交換器、３…追焚熱交換器、４…バーナ、５…ファン、６…ガス電磁弁、７…ガス比例弁、８…給水配管接続部、９…給水配管、１０…水量センサ、１１…給水温度センサ、１２…給湯配管接続部、１３…給湯配管、１４…給湯温度センサ、１５…風呂戻り配管接続部、１６…風呂戻り配管、１７…循環ポンプ、１８Ａ…風呂温度センサ、１９…風呂往き配管、２０…風呂往き配管接続部、２１…湯張り配管、２２…注湯弁、２３…コントローラ、２４…リモコン、２５…操作熱量演算部、２６…フィードフォワード熱量演算部、２７…フィードバック熱量演算部、２８…ファン駆動部、２９…ガス比例弁駆動部、３０…出力検知熱量演算部、３１…熱量比率演算部（熱量比学習手段）、３２…フィードフォワード熱量補正部（フィードフォワード湯張り制御手段）、３３…浴槽、３４…水栓。
【図１】
2013148270.tif 000003
【図２】
2013148270.tif 000004
【図３】
2013148270.tif 000005
【図４】
2013148270.tif 000006
【図５】
2013148270.tif 000007